【手続補正書】
【提出日】平成16年5月28日(2004.5.28)
【手続補正１】
【補正対象書類名】明細書
【補正対象項目名】特許請求の範囲
【補正方法】変更
【補正の内容】
【特許請求の範囲】
【請求項１】
物体側から順に、正の屈折力を有する対物光学系と、該対物光学系による中間像を正立正像にするための像反転光学系と、正の屈折力を有する接眼光学系とを有する実像式ファインダーにおいて、
前記対物光学系は、物体側から順に、負の屈折力を有する第１レンズ群と、正の屈折力を有する第２レンズ群と、正又は負の屈折力を有する第３レンズ群とを有し、
ワイド端からテレ端への変倍に際し前記第１レンズ群から第３レンズ群の各群の間隔を変化するように構成され、
前記像反転光学系が有する反射面の中少なくとも１面が光学的パワーを有する曲面反射鏡として構成されていると共に、前記曲面反射鏡によって発生する偏心収差を補正するような回転非対称な面形状を有することを特徴とする実像式ファインダー。
【請求項２】
物体側から順に、正の屈折力を有する対物光学系と、該対物光学系による中間像を正立正像にするための像反転光学系と、正の屈折力を有する接眼光学系とを有する実像式ファインダーにおいて、前記対物光学系は、物体側から順に、負の屈折力を有する第１レンズ群と、正の屈折力を有する第２レンズ群と、負の屈折力を有する第３レンズ群とを有し、各群の間隔を変化させることで変倍を行うと共に、前記像反転光学系の反射面の中少なくとも１面が光学的パワーを有し、さらに、前記像反転光学系の中少なくとも１面が回転非対称な面形状を有することを特徴とする実像式ファインダー。
【請求項３】
物体側から順に、正の屈折力を有する対物光学系と、該対物光学系による中間像を正立正像にするための像反転光学系と、正の屈折力を有する接眼光学系とを有する実像式ファインダーにおいて、前記対物光学系は、物体側から順に、負の屈折力を有する第１レンズ群と、正の屈折力を有する第２レンズ群と、正の屈折力を有する第３レンズ群とを有し、各群の間隔を変化させることで変倍を行うと共に、前記像反転光学系の反射面の中少なくとも１面が光学的パワーを有し、さらに、前記像反転光学系の中少なくとも１面が回転非対称な面形状を有することを特徴とする実像式ファインダー。
【請求項４】
前記第３レンズ群が負の屈折力を有することを特徴とする請求項１記載の実像式ファインダー。
【請求項５】
前記第３レンズ群が正の屈折力を有することを特徴とする請求項１記載の実像式ファインダー。
【請求項６】
物点中心を通り、対物光学系の絞り中心又は開口中心を通過して中間像面中心に到達し、さらに接眼光学系を通り瞳中心に入射する光線を軸上主光線とし、前記の回転非対称な面形状の少なくとも１面が、軸上主光線に対して偏心していることを特徴とする請求項２記載の実像式ファインダー。
【請求項７】
前記の回転非対称な面形状は、その面内及び面外共に回転対称軸を有しないことを特徴とする請求項６記載の実像式ファインダー。
【請求項８】
前記像反転光学系はポロプリズムを含むことを特徴とする請求項７記載の実像式ファインダー。
【請求項９】
物点中心を通り、対物光学系の絞り中心又は開口中心を通過して中間像面中心に到達し、さらに接眼光学系を通り瞳中心に入射する光線を軸上主光線とし、前記の回転非対称な面形状の少なくとも１面が、軸上主光線に対して偏心していることを特徴とする請求項３記載の実像式ファインダー。
【請求項１０】
前記の回転非対称な面形状は、その面内及び面外共に回転対称軸を有しないことを特徴とする請求項９記載の実像式ファインダー。
【請求項１１】
前記像反転光学系はポロプリズムを含むことを特徴とする請求項１０記載の実像式ファインダー。
【請求項１２】
以下の条件式の何れかあるいは両方を満足することを特徴とする請求項１又は４記載の実像式ファインダー。
−２．０＜ｆ1 ／ｆW ＜０                          ・・・（１−１）
−２．０＜ｄz2／ｄz1＜０                          ・・・（１−２）
ただし、ｆ1 は対物光学系の第１レンズ群の焦点距離、ｆW 広角端での対物光学系全系の焦点距離（像反転光学系に付けたパワー分は含まない。）、ｄz1は第１レンズ群と第２レンズ群の広角端から望遠端にかけての群間隔の変化量、ｄz2は第２レンズ群と第３レンズ群の広角端から望遠端にかけての群間隔の変化量である。
【請求項１３】
以下の条件式の何れかあるいは両方を満足することを特徴とする請求項１又は５記載の実像式ファインダー。
−２．０＜ｆ1 ／ｆW ＜０                          ・・・（２−１）
−２．０＜ｄz2／ｄz1＜０                          ・・・（２−２）
ただし、ｆ1 は対物光学系の第１レンズ群の焦点距離、ｆW 広角端での対物光学系全系の焦点距離（像反転光学系に付けたパワー分は含まない。）、ｄz1は第１レンズ群と第２レンズ群の広角端から望遠端にかけての群間隔の変化量、ｄz2は第２レンズ群と第３レンズ群の広角端から望遠端にかけての群間隔の変化量である。
【請求項１４】
物点中心を通り、対物光学系の絞り中心又は開口中心を通過して中間像面中心に到達し、さらに接眼光学系を通り瞳中心に入射する光線を軸上主光線とし、軸上主光線が前記回転非対称面に交差するまでの直線によって定義される軸をＺ軸とし、前記Ｚ軸と直交し、かつ、前記回転非対称面の偏心面内の軸をＹ軸と定義し、前記Ｚ軸と直交し、かつ、前記Ｙ軸と直交する軸をＸ軸とするとき、広角端においてＹ−Ｚ面内でＸ方向の最大画角の主光線が前記回転非対称面と交差する点における前記回転非対称面の法線のｔａｎの値と、軸上主光線が前記回転非対称面と交差する点における前記回転非対称面の法線のｔａｎの値との差をＤＹとするとき、
｜ＤＹ｜＜０．５                                  ・・・（３−１）
なる条件を満足することを特徴とする請求項１、４、５の何れか１項記載の実像式ファインダー。
【請求項１５】
物点中心を通り、対物光学系の絞り中心又は開口中心を通過して中間像面中心に到達し、さらに接眼光学系を通り瞳中心に入射する光線を軸上主光線とし、軸上主光線が前記回転非対称面に交差するまでの直線によって定義される軸をＺ軸とし、前記Ｚ軸と直交し、かつ、前記回転非対称面の偏心面内の軸をＹ軸と定義し、前記Ｚ軸と直交し、かつ、前記Ｙ軸と直交する軸をＸ軸とするとき、前記回転非対称面の広角端におけるＹ正方向の最大画角の主光線とＹ負方向の最大画角の主光線とが前記回転非対称面と当たる部分のＸ方向の曲率の比をＣｘｎとするとき、
｜Ｃｘｎ｜＜１                                    ・・・（４−１）
又は、
１＜｜Ｃｘｎ｜＜１０                              ・・・（４−２）
なる条件のどちらかを満足することを特徴とする請求項１、４、５の何れか１項記載の実像式ファインダー。
【請求項１６】
物点中心を通り、対物光学系の絞り中心又は開口中心を通過して中間像面中心に到達し、さらに接眼光学系を通り瞳中心に入射する光線を軸上主光線とし、軸上主光線が前記回転非対称面に交差するまでの直線によって定義される軸をＺ軸とし、前記Ｚ軸と直交し、かつ、前記回転非対称面の偏心面内の軸をＹ軸と定義し、前記Ｚ軸と直交し、かつ、前記Ｙ軸と直交する軸をＸ軸とするとき、広角端において、前記対物光学系の第１面に軸上主光線に沿ったＸ方向、Ｙ方向に対し微小な高さｄの平行光線を通し、その光線が中間像を形成するのに関与する面の中最も中間像に近い面から射出する際の軸上主光線に対する傾角のｓｉｎを前記ｄで割った値をそれぞれＰＸ，ＰＹとし、また、前記回転非対称面の軸上主光線近傍でのＸ方向、Ｙ方向の面のパワーをそれぞれＰＸn ，ＰＹn とするとき、
０＜｜ＰＸn ／ＰＸ｜＜１                          ・・・（５−１）
０＜｜ＰＹn ／ＰＹ｜＜１                          ・・・（５−２）
なる条件を満足することを特徴とする請求項１、４、５の何れか１項記載の実像式ファインダー。